(57)【特許請求の範囲】
【請求項１】
蛍光ランプを点灯させる電子式安定器を内蔵した照明器具のベースプレートに電子式安定器を取り付ける照明器具の安定器取付構造において、前記電子式安定器のケース及び前記ベースプレートの一方に切り起し折り曲げ形成されて初期の折り曲げ状態にある一対の切起片を他方に形成された一対の切欠孔に挿通したのち更に切り起し方向へ折り曲げ、この際、一対の切起片は外側または内側のいずれか同じ側へ折り曲げられて切欠孔の外側辺または内側辺を巻き込み、１８０度より小さい角度で前記折り曲げを止めることにより、前記切起片の先端部と前記ベースプレート又は前記電子式安定器のケースとの間に間隙が形成されて、前記電子式安定器のケースが前記ベースプレートに対して取り外し可能に係合していることを特徴とする照明器具の安定器取付構造。
【請求項２】
前記間隙が２〜５ｍｍであることを特徴とする請求項１記載の照明器具の安定器取付構造。
【請求項３】
前記切欠孔は半円状でその直線の辺となる外側辺または内側辺を切起片が巻き込むものであることを特徴とする請求項１または２記載の照明器具の安定器取付構造。
【請求項４】
前記一対の切起片が外側へ折り曲げられるものの場合は、この一対の切起片の基部の外側間隔が前記一対の切欠孔の外側間隔よりも大きく設定され、前記一対の切起片が内側へ折り曲げられるものの場合は、この一対の切起片の基部の内側間隔が前記一対の切欠孔の内側間隔よりも小さく設定されていることを特徴とする請求項１〜３のいずれか一項記載の照明器具の安定器取付構造。
【発明の詳細な説明】
【０００１】
【発明の属する技術分野】
本発明は、蛍光ランプを点灯させる電子式安定器を内蔵した照明器具のベースプレートに電子式安定器を取り付ける照明器具の安定器取付構造に関する。
【０００２】
【従来の技術】
この種の照明器具の分解図を図１に示す。この照明器具は、２本の蛍光ランプ１０１と反射板１０２とベースプレート１０３とを備えている。ベースプレート１０３には、蛍光ランプ１０１のレセプタクル１０４や電子式安定器１０５が取り付けられている。電子式安定器１０５は、いわゆるインバータ方式で蛍光ランプ１０１を高周波点灯させるためのプリント基板ユニットを金属ケースに収納したものであり、旧式のコイルとコアからなる安定器に比べればかなり軽量である。
【０００３】
図２は、ベースプレート１０３に電子式安定器１０５を取り付ける従来の安定器取付構造を示しており、図２（ａ）は平面図、図２（ｂ）は側面図である。電子式安定器１０５のケースに切欠孔１０５ａが形成され、ベースプレート１０３の対応する位置には切起片１０３ａが形成されている。そして、切起片１０３ａを切欠孔１０５ａに挿通したのち略１８０度折り曲げることにより、電子式安定器１０５のケースをベースプレート１０３に固定している。
【０００４】
【発明が解決しようとする課題】
上記のような照明器具の電子式安定器１０５が故障した場合、電子式安定器１０５をベースプレート１０３から取り外して新しいものと交換しようとすると、従来の安定器取付構造では電子式安定器１０５をベースプレート１０３から取り外す作業が困難であった。つまり、ベースプレート１０３の切起片１０３ａが略１８０度折り曲げられて電子式安定器１０５のケースに密着しているために、切起片１０３ａの先端部をペンチ等で掴むことができず、切起片１０３ａの折り曲げを元に戻すためには、電気ドリル等の特別な工具を用いる必要があった。このため、電気ドリル等の工具の準備や運搬作業が必要となり、また、電子式安定器の交換作業に要する時間が長くなる問題もあった。
【０００５】
本発明は、このような従来の課題に鑑みて、ペンチ等の簡単な工具を用いて容易に電子式安定器をベースプレートから取り外すことができる照明器具の安定器取付構造を提供することを目的とする。
【０００６】
【課題を解決するための手段】
本発明による照明器具の安定器取付構造は、蛍光ランプを点灯させる電子式安定器を内蔵した照明器具のベースプレートに電子式安定器を取り付ける照明器具の安定器取付構造において、前記電子式安定器のケース及び前記ベースプレートの一方に切り起し折り曲げ形成されて初期の折り曲げ状態にある一対の切起片を他方に形成された一対の切欠孔に挿通したのち更に切り起し方向へ折り曲げ、この際、一対の切起片は外側または内側のいずれか同じ側へ折り曲げられて切欠孔の外側辺または内側辺を巻き込み、１８０度より小さい角度で前記折り曲げを止めることにより、前記切起片の先端部と前記ベースプレート又は前記電子式安定器のケースとの間に間隙が形成されて、前記電子式安定器のケースが前記ベースプレートに対して取り外し可能に係合していることを特徴とする。
【０００７】
具体的には、前記切起片の先端部と前記ベースプレート又は前記電子式安定器のケースとの間に２〜５ｍｍの間隙が形成されていることが好ましい。これにより、ペンチ等の簡単な工具を用いて容易に電子式安定器をベースプレートから取り外すことができる。
【００１０】
【発明の実施の形態】
以下、図面を参照しながら本発明の実施形態を説明する。
【００１１】
（実施形態１）
図３（ａ）〜（ｃ）及び図４（ａ）、（ｂ）は、本発明の第１の実施形態に係る照明器具の安定器取付構造を示している。図３（ａ）は平面図、図３（ｂ）は側面図、図３（ｃ）は部分拡大図である。また、図４（ａ）は電子式安定器の取付部の平面図、図４（ｂ）は照明器具のベースプレートの側面図である。
【００１２】
図４（ａ）及び（ｂ）に示すように、電子式安定器１２のケースに半円状の切欠孔１２ａが形成され、ベースプレート１１の対応する位置には切起片１１ａが形成されている。一対の切欠孔１２ａの外側間隔Ａ２と、対応する一対の切起片１１ａの基部の外側間隔Ａ１との関係は、Ａ１＞Ａ２となるように設定されている。
【００１３】
図３（ａ）〜（ｃ）に示すように、一対の切起片１１ａを一対の切欠孔１２ａに挿通したのち外側へ折り曲げることにより、電子式安定器１２のケースをベースプレート１１に固定している。この際、上述のＡ１＞Ａ２なる関係により、一対の切起片１１ａは一対の切欠孔１２ａの外側間隔Ａ２を押し広げるようにして切欠孔１２ａの外側辺を巻き込む。これにより、切起片１１ａを１８０度完全に折り曲げることなく、電子式安定器１２のケースがベースプレート１１に固定される。
【００１４】
最終的には、切起片１１ａの先端部と電子式安定器１２のケースとの間隙ｄが２〜５ｍｍ確保される状態で切起片１１ａの折り曲げを止める。こうすることにより、電子式安定器１２を取り外す際には、切起片１１ａの先端部をペンチ等の汎用工具で容易に挟んで、切起片１１ａの折り曲げ状態を図４（ｂ）に示す初期状態に略戻すことができる。
【００１５】
（実施形態２）
図５（ａ）及び（ｂ）は、第２の実施形態に係る照明器具の安定器取付構造を示している。図５（ａ）は平面図であり、図５（ｂ）は側面図である。この実施形態では、第１の実施形態とは逆に、ベースプレート２１に一対の半円状の切欠孔２１ａが形成され、電子式安定器２２のケースの対応する位置に一対の切起片２２ａが形成されている。そして、一対の切欠孔２１ａの外側間隔Ｂ２と、対応する一対の切起片２２ａの基部の外側間隔Ｂ１との関係は、Ｂ１＞Ｂ２となるように設定されている。
【００１６】
一対の切起片２２ａを一対の切欠孔２１ａに挿通したのち外側へ折り曲げることにより、電子式安定器２２のケースをベースプレート２１に固定している。この際、上述のＢ１＞Ｂ２なる関係により、一対の切起片２２ａは一対の切欠孔２１ａの外側間隔Ｂ２を押し広げるようにして切欠孔２１ａの外側辺を巻き込む。これにより、切起片２２ａを１８０度完全に折り曲げることなく、電子式安定器２２のケースがベースプレート２１に固定される。
【００１７】
最終的には、切起片２２ａの先端部とベースプレート２１との間隙ｄが２〜５ｍｍ確保される状態で切起片２２ａの折り曲げを止める。こうすることにより、電子式安定器２２を取り外す際には、切起片２２ａの先端部をペンチ等の汎用工具で容易に挟んで、切起片２２ａを折り曲げ前の状態に略戻すことができる。
【００１８】
（実施形態３）
図６（ａ）及び（ｂ）は、第３の実施形態に係る照明器具の安定器取付構造を示している。図６（ａ）は平面図であり、図６（ｂ）は側面図である。この実施形態では、第１の実施形態と同様に、電子式安定器３２のケースに一対の半円状の切欠孔３２ａが形成され、ベースプレート３１の対応する位置には一対の切起片３１ａが形成されている。ただし、一対の切起片３１ａは外側へ折り曲げるのではなく、内側へ折り曲げられるように形成されている。これに合わせて、一対の半円状の切欠孔３２ａは、外側が円周で内側が直線の辺になるように形成されている。また、一対の切欠孔３２ａの内側間隔Ｃ２と、対応する一対の切起片３１ａの基部の内側間隔Ｃ１との関係は、Ｃ１＜Ｃ２となるように設定されている。
【００１９】
一対の切起片３１ａを一対の切欠孔３２ａに挿通したのち内側へ折り曲げることにより、電子式安定器３２のケースをベースプレート３１に固定している。この際、上述のＣ１＜Ｃ２なる関係により、一対の切起片３１ａは一対の切欠孔３２ａの内側間隔Ｃ２を押し縮めるようにして切欠孔３２ａの内側辺を巻き込む。これにより、切起片３１ａを１８０度完全に折り曲げることなく、電子式安定器３２のケースがベースプレート３１に固定される。
【００２０】
最終的には、切起片３１ａの先端部と電子式安定器３２のケースとの間隙ｄが２〜５ｍｍ確保される状態で切起片３１ａの折り曲げを止める。こうすることにより、電子式安定器３２を取り外す際には、切起片３１ａの先端部をペンチ等の汎用工具で容易に挟んで、切起片３１ａを折り曲げ前の状態に略戻すことができる。
【００２１】
（実施形態４）
図７（ａ）及び（ｂ）は、第４の実施形態に係る照明器具の安定器取付構造を示している。図７（ａ）は平面図であり、図７（ｂ）は側面図である。この実施形態では、第３の実施形態とは逆に、ベースプレート４１に一対の半円状の切欠孔４１ａが形成され、電子式安定器４２のケースの対応する位置に一対の切起片４２ａが形成されている。また、一対の切欠孔４１ａの内側間隔Ｄ２と、対応する一対の切起片４２ａの基部の内側間隔Ｄ１との関係は、Ｄ１＜Ｄ２となるように設定されている。
【００２２】
一対の切起片４２ａを一対の切欠孔４１ａに挿通したのち内側へ折り曲げることにより、電子式安定器４２のケースをベースプレート４１に固定している。この際、上述のＤ１＜Ｄ２なる関係により、一対の切起片４２ａは一対の切欠孔４１ａの内側間隔Ｄ２を押し縮めるようにして切欠孔４１ａの内側辺を巻き込む。これにより、切起片４２ａを１８０度完全に折り曲げることなく、電子式安定器４２のケースがベースプレート４１に固定される。
【００２３】
最終的には、切起片４２ａの先端部とベースプレート４１との間隙ｄが２〜５ｍｍ確保される状態で切起片４２ａの折り曲げを止める。こうすることにより、電子式安定器４２を取り外す際には、切起片４２ａの先端部をペンチ等の汎用工具で容易に挟んで、切起片４２ａを折り曲げ前の状態に略戻すことができる。
【００２４】
（参考例１）
図８（ａ）及び（ｂ）は、参考例１に係る照明器具の安定器取付構造を示している。図８（ａ）は平面図であり、図８（ｂ）は側面図である。この参考例１は、第１の実施形態に類似しているが、ベースプレート５１に形成した一対の切起片５１ａを電子式安定器５２のケースに形成した一対の矩形の切欠孔５２ａに挿通した後、切起片５１ａを折り曲げるのではなく略４５度回転する（捻る）ことによって電子式安定器５２のケースをベースプレート５１に固定する。
【００２５】
この場合、切起片５１ａはベースプレート５１に対して略垂直に立ったままで電子式安定器５２のケースがベースプレート５１に固定されているので、ペンチ等の汎用工具で切起片５１ａを容易に挟んで、回転（捻り）前の状態に略戻し、電子式安定器５２をベースプレート５１から取り外すことができる。
【００２６】
（参考例２）
図９（ａ）及び（ｂ）は、参考例２に係る照明器具の安定器取付構造を示している。図９（ａ）は平面図であり、図９（ｂ）は側面図である。この参考例２では、参考例１とは逆に、ベースプレート６１に一対の矩形の切欠孔６１ａが形成され、電子式安定器６２のケースの対応する位置に一対の切起片６２ａが形成されている。そして、切起片６２ａを切欠孔６１ａに挿通した後、切起片６２ａを略４５度回転する（捻る）ことによって電子式安定器６２のケースをベースプレート６１に固定している。
【００２７】
この場合も、切起片６２ａはベースプレート６１に対して略垂直に立ったままで電子式安定器６２のケースがベースプレート６１に固定されているので、ペンチ等の汎用工具で切起片６２ａを容易に挟んで、回転（捻り）前の状態に略戻し、電子式安定器６２をベースプレート６１から取り外すことができる。
【００２８】
（参考例３）
図１０（ａ）及び（ｂ）は、参考例３に係る照明器具の安定器取付構造を示している。図１０（ａ）は平面図であり、図１０（ｂ）は側面図である。この参考例３では、ベースプレート７１に一対の切起片（第１の切起片）７１ａが形成され、電子式安定器７２のケースの対応する位置には一対の矩形の切欠孔７２ａが形成されると共に、切欠孔７２ａの外側の一辺に切起片（第２の切起片）７２ｂが形成されている。そして、第１の切起片７１ａを切欠孔７２ａに挿通したのち第２の切起片７２ｂの先端部を支点にして略直角に外側へ折り曲げることにより、電子式安定器７２のケースをベースプレート７１に固定している。
【００２９】
この場合、第１の切起片７１ａはベースプレート７１に対して略垂直に立った状態から先端部のみが略９０度折り曲げられているので、その先端部をペンチ等の汎用工具で挟んで容易に折り曲げ前の状態に略戻し、電子式安定器７２をベースプレート７１から取り外すことができる。
【００３０】
（参考例４）
図１１（ａ）及び（ｂ）は、参考例４に係る照明器具の安定器取付構造を示している。図１１（ａ）は平面図であり、図１１（ｂ）は側面図である。この参考例４では、参考例３とは逆に、電子式安定器８２のケースに一対の切起片（第１の切起片）８２ａが形成され、ベースプレート８１の対応する位置に一対の矩形の切欠孔８１ａが形成されると共に、切欠孔８１ａの外側の一辺に切起片（第２の切起片）８１ｂが形成されている。そして、第１の切起片８２ａを切欠孔８１ａに挿通したのち第２の切起片８１ｂの先端部を支点にして略直角に外側へ折り曲げることにより、電子式安定器８２のケースをベースプレート８１に固定している。
【００３１】
この場合も、第１の切起片８２ａはベースプレート８１に対して略垂直に立った状態から先端部のみが略９０度折り曲げられているので、その先端部をペンチ等の汎用工具で挟んで容易に折り曲げ前の状態に略戻し、電子式安定器８２をベースプレート８１から取り外すことができる。
【００３２】
（参考例５）
図１２（ａ）及び（ｂ）は、参考例５に係る照明器具の安定器取付構造を示している。図１２（ａ）は平面図であり、図１２（ｂ）は側面図である。この参考例５では、電子式安定器９２のケースの対向する一対の側面（補強のための立上り部９２ａの外側面に沿うように、ベースプレート９１に一対の切起片９１ａが形成されている。そして、切起片９１ａの先端部が、立上り部９２ａの先端部を支点にして内側へ略直角に折り曲げられることにより、電子式安定器９２のケースがベースプレート９１に固定されている。
【００３３】
この場合、切起片９１ａはベースプレート９１に対して略垂直に立った状態から先端部のみが略９０度折り曲げられているので、その先端部をペンチ等の汎用工具で挟んで容易に折り曲げ前の状態に略戻し、電子式安定器９２をベースプレート９１から取り外すことができる。
【００３４】
（参考例６）
図１３（ａ）及び（ｂ）は、参考例６に係る照明器具の安定器取付構造を示している。図１３（ａ）は平面図であり、図１３（ｂ）は側面図である。この参考例６では、電子式安定器９４のケースに一対の切欠孔９４ａが形成され、ベースプレート９３の対応する位置には一対の切起片９３ａが形成されている。一対の切欠孔９４ａは、図１３（ａ）から分かるように、内側の広幅部と外側の狭幅部がつながった形状を有する。これに対応して、一対の切起片９３ａは、根元部が狭幅に、先端部が広幅に形成されている。そして、一対の切起片９３ａは、少しだけ（１０〜３０度程）起こされた状態で一対の切欠孔９４ａに挿通された後、外側へ折り曲げられることにより、図１３（ａ）及び（ｂ）に示すように、ベースプレート９３に対して略垂直に起こされた状態となる。このとき、切起片９３ａの根元部（狭幅部）が切欠孔９４ａの外側の狭幅部に係合することにより、電子式安定器９４がベースプレート９３から脱落しないように固定される。
【００３５】
この場合、切起片９３ａはベースプレート９３に対して略垂直に立ったままで電子式安定器９４のケースがベースプレート９３に固定されているので、ペンチ等の汎用工具で切起片９３ａを容易に挟んで、起こし前の状態に略戻し、電子式安定器９４をベースプレート９３から取り外すことができる。
【００３６】
以上、種々の実施形態によって本発明の安定器取付構造を説明した。いずれの実施形態においても、電子式安定器が軽量であるために取付強度がさほど必要でないことを利用して、切起片をペンチ等の汎用工具で挟んで容易に元の状態に戻せるような簡易的な取付方法とすることにより、電子式安定器の取替えを容易にしている。なお、本発明は上記の実施形態に限るわけではなく、他の形態で実施してもよい。
【００３７】
【発明の効果】
以上に説明したように、本発明の照明器具の安定器取付構造によれば、ペンチ等の簡単な工具を用いて容易に電子式安定器をベースプレートから取り外すことができる。すなわち、切起片をペンチ等の汎用工具で挟んで容易に元の折り曲げ状態に戻せるような簡易的な取付方法とすることにより、電子式安定器の取替えを容易にしている。
【００３８】
【図面の簡単な説明】
【図１】  本発明が適用される照明器具の分解図である。
【図２】  従来の照明器具の安定器取付構造を示す図である。
【図３】  本発明の第１の実施形態に係る照明器具の安定器取付構造を示す図である。
【図４】  本発明の第１の実施形態における電子式安定器の取付部及び照明器具のベースプレートを示す図である。
【図５】  本発明の第２の実施形態に係る照明器具の安定器取付構造を示す図である。
【図６】  本発明の第３の実施形態に係る照明器具の安定器取付構造を示す図である。
【図７】  本発明の第４の実施形態に係る照明器具の安定器取付構造を示す図である。
【図８】  本発明の参考例１に係る照明器具の安定器取付構造を示す図である。
【図９】  本発明の参考例２に係る照明器具の安定器取付構造を示す図である。
【図１０】  本発明の参考例３に係る照明器具の安定器取付構造を示す図である。
【図１１】  本発明の参考例４に係る照明器具の安定器取付構造を示す図である。
【図１２】  本発明の参考例５に係る照明器具の安定器取付構造を示す図である。
【図１３】  本発明の参考例６に係る照明器具の安定器取付構造を示す図である。
【符号の説明】
１１，２１，３１，４１，５１，６１，７１，８１，９１，９３  ベースプレート
１２，２２，３２，４２，５２，６２，７２，８２，９２，９４  電子式安定器
１１ａ，２２ａ，３１ａ，４２ａ，５１ａ，６２ａ，７１ａ，８２ａ，９１ａ，９３ａ  切起片
１２ａ，２１ａ，３２ａ，４１ａ，５２ａ，６１ａ，７２ａ，８１ａ，９４ａ切欠孔
【図１】
0004337230.tif 000002
【図２】
0004337230.tif 000003
【図３】
0004337230.tif 000004
【図４】
0004337230.tif 000005
【図５】
0004337230.tif 000006
【図６】
0004337230.tif 000007
【図７】
0004337230.tif 000008
【図８】
0004337230.tif 000009
【図９】
0004337230.tif 000010
【図１０】
0004337230.tif 000011
【図１１】
0004337230.tif 000012
【図１２】
0004337230.tif 000013
【図１３】
0004337230.tif 000014